(57)【要約】【課題】興趣あふれる見え方をもって、高精度の彫刻が施された識別画像を提示可能な、高い偽変造防止性が付与されたセキュリティシートを得る。【解決手段】一対の各彫刻層６５，６６のそれぞれに、個人を識別するための共通の識別画像６９、７０を、層方向で相互に重なるように位置させて透かし彫刻する。表裏の各面６７，６８から透かし彫刻された共通の識別画像６９，７０を、表裏の各面６７，６８から触覚及び視覚をもって確認することができるとともに、一方の面から識別画像を視たときに、同画像の輪郭が、他方の面における識別画像の輪郭と重なってみえることで立体感が醸成され、興趣あふれる見え方をもって、高精度の彫刻が施された識別画像を提示することができる。【選択図】  図８
2009137169.tif 000002
【特許請求の範囲】
【請求項１】
一対の彫刻層の間に支持体層を挟んで構成されるセキュリティシートであって、
前記一対の各彫刻層のそれぞれに、個人を識別するための共通の識別画像が、前記層方向で相互に重なるように位置して透かし彫刻されている、
ことを特徴とするセキュリティシート。
【請求項２】
請求項１記載のセキュリティシートであって、
前記識別画像は、
個人の氏名、住所、年齢、性別、署名、或いは、印影、又は肖像写真のうち、一又は二以上の組み合わせである、
ことを特徴とするセキュリティシート。
【請求項３】
請求項１又は２に記載のセキュリティシートであって、
前記支持体層の不透明度と、前記一対の彫刻層の不透明度との間で、少なくとも目視で認識し得る程度の差が存在し、かつ、前記支持体層の不透明度が、前記一対の彫刻層の不透明度よりも低く構成されており、
前記共通の識別画像が、前記一対の各彫刻層から前記支持体層に至るまで透かし彫刻されている、
ことを特徴とするセキュリティシート。
【請求項４】
請求項３に記載のセキュリティシートであって、
前記一対の彫刻層は、相互に異なる色彩若しくは不透明度とされている、
ことを特徴とするセキュリティシート。
【発明の詳細な説明】
【技術分野】
【０００１】
本発明は、例えば、運転免許証、社員証、パスポート、あるいは卒業証書などの、偽造・変造（以下、「偽変造」という。）が社会的に要請されているセキュリティシートに係り、特に、興趣あふれる見え方をもって、高精度の彫刻が施された識別画像を提示可能な、高い偽変造防止性が付与されたセキュリティシートに関する。
【背景技術】
【０００２】
例えば、運転免許証、社員証、パスポート、あるいは卒業証書などに代表される、個人の氏名や住所等の個人の肖像写真などの識別画像が設けられたセキュリティシートには、その本人になりすました第三者による悪用を許すべきではないといった強い社会的要請が存在する。かかる社会的要請に鑑みて、セキュリティシートには、高い偽変造防止機能を備えていることが求められている。
【０００３】
こうした社会的要請に応えるために、例えば特許文献１には、支持体層と彫刻層とから成る透かし彫り用紙において、支持体層の不透明度が７０％以下、彫刻層の不透明度が４０％以上で、支持体層の不透明度が常に彫刻層の不透明度より低い値であり、且つ支持体層と彫刻層の不透明度の差が３０％以上で、彫刻層から支持体層まで彫刻するようにした透かし彫り用紙が公知である。
【０００４】
また、本発明者は、支持体層と、予め印刷された一方の画像を有し、該支持体層上に一体に設けられた透かし彫刻層と、予め印刷された他方の異なる画像と、表面粗さと帯電し難い機能とを有し、該支持体層下に一体に設けられた裏面透かしマット層と、該透かし彫刻層及び該裏面透かしマット層下に一体に設けられた透かし印刷層とから成り、該支持体層の透過濃度０．１５以下で、該支持体層・該彫刻層・該裏面マット層の透過濃度が０．１５以上、１．００以下、且つ彫刻面表面光沢度１０．０％以下とする個体数の少ない重要書類用セキュリティシートを提案している（例えば特許文献２参照）。
【０００５】
ところで、本願発明者の研究によると、一般に、セキュリティ対策と、これを打ち破ろうと試みる者がとるアクションとは、いたちごっこの様相を呈しているのが現状である。従って、セキュリティ対策にはゴールがなく、常に継続した改良乃至新規な技術開発が強く要請されているのである。
【０００６】
【特許文献１】特開平６−１５７９４号公報
【特許文献２】特開２００７−１３０８５５号公報
【発明の開示】
【発明が解決しようとする課題】
【０００７】
解決しようとする課題は、セキュリティ対策にはゴールがなく、常に継続した改良乃至新規な技術開発が強く要請されている点に鑑みて、高い偽変造防止性が付与されたセキュリティシートを提供することである。
【課題を解決するための手段】
【０００８】
本発明は、興趣あふれる見え方をもって、高精度の彫刻が施された識別画像を提示可能な、高い偽変造防止性が付与されたセキュリティシートを得ることを目的として、一対の彫刻層の間に支持体層を挟んで構成されるセキュリティシートであって、前記一対の各彫刻層のそれぞれに、個人を識別するための共通の識別画像が、前記層方向で相互に重なるように位置して透かし彫刻されている、ことを最も主要な特徴とする。
【発明の効果】
【０００９】
本発明に係るセキュリティシートは、一対の彫刻層の間に支持体層を挟んで構成されるセキュリティシートであって、前記一対の各彫刻層のそれぞれに、個人を識別するための共通の識別画像が、前記層方向で相互に重なるように位置して透かし彫刻されているので、これにより、表裏の各面から透かし彫刻された共通の識別画像を、表裏の各面から触覚及び視覚をもって確認することができるとともに、一方の面から識別画像を視たときに、同画像の輪郭が、他方の面における識別画像の輪郭と重なってみえることで立体感が醸成され、興趣あふれる見え方をもって、高精度の彫刻が施された識別画像を提示することが可能となる結果として、高い偽変造防止性が付与されたセキュリティシートを得ることができる。
【発明を実施するための最良の形態】
【００１０】
興趣あふれる見え方をもって、高精度の彫刻が施された識別画像を提示可能な、高い偽変造防止性が付与されたセキュリティシートを得るといった目的を、一対の各彫刻層のそれぞれに、個人を識別するための共通の識別画像を、層方向で相互に重なるように位置させて透かし彫刻することで実現した。
【実施例】
【００１１】
以下、本発明実施例に係るセキュリティシートについて、図面を参照しつつ詳細に説明する。なお、本発明実施例に係るセキュリティシートの説明に先立って、同セキュリティシートに対して彫刻を施す際に用いられる画像彫刻装置について説明する。
【００１２】
［画像彫刻装置の概略構成］
図１は、画像彫刻装置の外観を示す概略斜視図、図２は、画像彫刻装置における主要部を示す斜視図、図３（Ａ）は、往復運動機構に設けられている彫刻テーブルを拡大して示す説明図、図３（Ｂ）は、彫刻テーブルに載置固定される小冊子状の被彫刻媒体を示す説明図、図４及び図５は、被彫刻媒体として卒業証書や表彰状等の比較的大判のシート状媒体を採用したときの彫刻テーブルを拡大して示す説明図である。
【００１３】
図１に示すように、画像彫刻装置１は、制御装置等が格納されている装置本体２と、その上方に被彫刻媒体（例えば、本発明に係るセキュリティシートが相当する。）を載置固定してＸ軸方向（横方向）に往復移動させるＸ軸テーブル（彫刻テーブル）２０と、Ｘ軸テーブル２０に対してＹ軸テーブル（不図示）により前後方向に往復移動されるとともに、Ｚ駆動機構により上下方向に往復移動される、被彫刻媒体の表面を彫刻する彫刻ヘッド１０と、を備えている。
【００１４】
図２に示すように本画像彫刻装置１は、入力される画像信号に基づいて振動され、被彫刻媒体に画像を彫刻するための彫刻針が装着された彫刻ヘッド１０を備えている。
【００１５】
この彫刻ヘッド１０は、その後方に配設されているＺ軸駆動部１２が有するステッピングモータ、タイミングベルト、ボールねじ等の駆動機構によって、上下方向に移動可能に構成されている。また、彫刻ヘッド１０は、その下に配設されているＹ軸駆動部１４により駆動されるＹ軸テーブルによって、前後方向に移動可能に構成されている。
【００１６】
彫刻ヘッド１０の前方には、Ｘ軸駆動装置１６が配設されている。このＸ軸駆動装置１６は、往復運動機構（Ｘ軸駆動部）１８と、該機構１８上に設けられ、横方向（Ｘ軸方向）に往復移動（運動）される彫刻テーブル２０と、で構成されている。図２には、彫刻テーブル２０に対し、被彫刻媒体３６として小冊子状のパスポートを保持固定した状態を示してある。
【００１７】
図３（Ａ）に示すように、往復運動機構１８上には、アルミニウム等の非磁性体よりなる彫刻テーブル２０が設けられ、彫刻テーブル２０は往復運動機構１８の動作により左右（Ｘ軸）方向に往復運動を行なう。
【００１８】
この彫刻テーブル２０の上面には、Ｘ軸方向及びＹ軸方向の媒体ガイド２２及び弾性を有する第１クリップ２４が設置されている。
【００１９】
彫刻テーブル２０は、裏面の４箇所に嵌穴が設けられ、各穴には永久磁石２６が埋設されている。この彫刻テーブル２０の前端には、パスポートホルダ２８が先端を下方に傾斜させて取り付けられ、パスポートホルダ２８の上には弾性を有する第２クリップ３０が設けられている。
【００２０】
彫刻テーブル２０におけるパスポートホルダ２８の取付位置に対向する後端側には、弾性を有する磁性体金属板で形成された媒体ホルダ３２が蝶着されている。この媒体ホルダ３２の両側先端部には係合部３２Ａが設けられ、これが彫刻テーブル２０の前端部の対応箇所に設けられている被係合部２０Ｂに係合することにより、媒体ホルダ２２が固定され、同時に彫刻テーブル２０に埋設されている永久磁石２６が媒体ホルダ３２を、被彫刻媒体が載置される彫刻基準面２０Ａに密着させるように磁気吸引する。
【００２１】
上述のように構成された彫刻テーブル２０においては、まず、媒体ホルダ３２を上方に持ち上げ、図３（Ａ）に示すように、彫刻テーブル２０の彫刻基準面２０Ａを露出させる。次に、図３（Ｂ）に示す小冊子状の被彫刻媒体３６の被彫刻頁３６Ａを彫刻基準面２０Ａに密着させ、その先端部３６Ｂをクリップ２４により彫刻基準面２０Ａとの間で挟持する。
【００２２】
その際、水平方向に対する被彫刻媒体３６の位置決めは、Ｘ方向、Ｙ方向を規制する媒体ガイド２２に各端部３６Ｂ、３６Ｃを押し当てて行なう。被彫刻頁３６Ａ以外の残余頁は一体に折り返して、パスポートホルダ２８に載せ、その後端部を第２クリップ３０により挟持することにより保持する。
【００２３】
次いで、媒体ホルダ３２を、被彫刻頁３６Ａに該頁を彫刻基準面２０Ａとの間で挟持するように押し当て、係合部２２Ａをその弾性を用いて被係合部２０Ｂに係合させる。このとき、同時に永久磁石２６が被彫刻頁３６Ａを介して媒体ホルダ３２を磁気吸着することから、媒体ホルダ３２により被彫刻ページ３６Ａは基準面２０Ａに平坦な状態で押え付けられ、密着した状態で強固に固定される。
【００２４】
被彫刻媒体３６の固定（保持）が完了した後、画像彫刻装置を駆動させると、媒体ホルダ３２の彫刻用窓２２Ｂから露出されている被彫刻頁３６Ａの部位を彫刻針で切削し、彫刻画像の生成が行なわれる。
【００２５】
その際、往復運動機構１８上の彫刻テーブル２０が高速往復運動を行ない、かつ、彫刻針による切削作用によって被彫刻頁３６Ａに彫刻画像の生成が行なわれる。このため、被彫刻頁３６Ａは慣性力による位置ずれや、切削抵抗により彫刻基準面２０Ａから離反するといった作用力を受ける。
【００２６】
しかしながら、第１クリップ２４、第２クリップ３０による挟持力及び永久磁石２６の媒体ホルダ３２に対する磁気吸着力の相互作用により、被彫刻媒体３６は上記作用力に抗して彫刻テーブル２０の基準面２０Ａからの位置ずれを起こすことが防止されるため、鮮明で正確な画像彫刻を行なうことが可能となる。
【００２７】
画像彫刻終了後、被彫刻媒体３６は係合部３２Ａの弾性を利用して係合を解除し、媒体ホルダ３２を解放することにより容易に取外しを行なうことができる。
【００２８】
以上説明したように、本画像彫刻装置における彫刻テーブル２０によれば、小冊子状の被彫刻媒体３６を強固に固定する際に、真空吸着に代えて、磁気吸引力及びホルダ３２と彫刻テーブル２０との係合力を用いるようにしたため、真空ポンプ、真空回路等の設置及び彫刻基準面に対する吸引溝や吸気孔の微細加工を必要とせず、装置の構造を単純にできる。
【００２９】
なお、被彫刻媒体として卒業証書や表彰状等の比較的大判のシート状のものを採用する場合には、図４及び図５に示すように、かかる大判のシート状彫刻媒体を載置可能な大型の彫刻テーブル４０を採用すればよい。
【００３０】
すなわち、この彫刻テーブル４０は、往復運動機構１８に設けられ、卒業証書等の比較的大判の被彫刻媒体に対応できるように大型化されるとともに、それに応じて媒体ホルダ４２も大型化されている。
【００３１】
この彫刻テーブル４０の上面端部には、媒体ガイド４４及び弾性を有する第１クリップ４６が付設され、また、その裏面には前述と同様に複数の嵌穴が設けられ、その中に永久磁石２６が埋設されている。
【００３２】
一方、この彫刻テーブル４０は、前端に下方に折り曲げられた媒体保持部４０Ｂを有し、媒体保持部４０Ｂの下垂面部には弾性を有する第２クリップ４８が取り付けられている。彫刻テーブル４０の媒体保持部４０Ｂの取付位置に対向する後端側には、同様に磁性体金属板で形成された媒体ホルダ４２が蝶着されている。更に、彫刻テーブル４０の往復運動方向の両側前端部には、被係合駒５０が取り付けられている。媒体ホルダ４２の先端の係合部４２Ａを該被係合駒５０に係合させることにより、媒体ホルダ４２が固定され、同時に彫刻テーブル４０に埋設されている永久磁石２６が媒体ホルダ４２を基準面４０Ａに密着させるよう磁気吸引する。
【００３３】
上述のように構成された彫刻テーブル４０においては、まず、媒体ホルダ４２を上方に持ち上げ、彫刻テーブル４０の彫刻基準面４０Ａを露出させ、次いで図５（Ｂ）に示すシート状の被彫刻部材５２の先端部５２Ａを彫刻基準面４０Ａと第１クリップ４６で挟持する。
【００３４】
その際、被彫刻媒体４６の水平方向に対する位置決めは、第１クリップ４６に先端部５２Ａが突き当たるまで押し込むと共に、媒体ガイド４４に側端部５２Ｂを押し当てることにより行なう。被彫刻媒体５２の残余部分は円筒状に折り返してカール形状５２Ｃを形成し、彫刻テーブル４０の前端側に形成されている媒体保持部４０Ｂにその円弧外周部が当接するように載置し、カール先端部５２Ｄを第２クリップ４４により挟持する。
【００３５】
次いで、媒体ホルダ４２を被彫刻媒体５２の上方より基準面４０Ａに密着させて挟持するように押し当て、係合部４２Ａをその弾性を用いて被係合駒５０に係合させる。その際、永久磁石２６が被彫刻媒体５２を介して媒体ホルダ４２を磁気吸着し、被彫刻部５２Ｅは基準面４０Ａに平坦に密着した状態で、強固に固定される。
【００３６】
このようにシート状の被彫刻媒体５２を固定することにより、彫刻時に高速往復運動を行なうことにより生じる風圧により扇動を起こすような場合でも、カール形状５２Ｃを形成して円筒状にしてあるために、紙片の剛性を増大させた上に、空気抵抗を受け難くすることができることから、安定した画像彫刻を実現することができる。
【００３７】
以上述べた彫刻テーブル４０によれば、シート状の被彫刻媒体を使用する場合、円筒状にカールさせるため、彫刻テーブルの基準面を被彫刻媒体全体に及ぶ大規模なものにする必要がなく、小型軽量化が可能となる。
【００３８】
また、被彫刻媒体を円筒状にカールさせるため、彫刻時の往復運動による風圧に起因する扇動を防止することができるため、安定した画像彫刻を実現できる。
【００３９】
次に、上述のように構成された画像彫刻装置を用いて、個人を識別するための識別画像が彫刻される本発明実施例に係るセキュリティシートについて、図面を参照して詳細に説明する。
【００４０】
［本発明実施例に係るセキュリティシート］
（本発明実施例に係るセキュリティシートの概略構成）
図６は、本発明に係るセキュリティシートを、被彫刻媒体としての社員証に適用した例を示す、社員証に係る表面の外観図、図７は、図６に示す社員証に係る裏面の外観図、図８は、図６に示す社員証の要部Ａ−Ａ断面図、図９は、本発明に係るセキュリティシートを、卒業証書に適用した例を示す説明図、図１０は、本発明に係るセキュリティシートを、パスポートにおける個人認証ページ部分に適用した例を示す説明図である。
【００４１】
図６乃至図８に示すように、本発明実施例に係るセキュリティシート（社員証）６１は、支持体層６３を、一対の第１、第２彫刻層６５、６６の間に密着させて挟み込み、これら三層を積層して構成されている。
【００４２】
セキュリティシート６１の表面６７には、図６及び図８に示すように、個人を識別するための第１識別画像６９が彫刻される略矩形形状の第１透かし彫刻領域７１が設けられている。この第１透かし彫刻領域７１には、例えば、識別画像として個人に係る上半身の肖像写真画像が、第１彫刻層６５側から彫刻されている。
【００４３】
一方、セキュリティシート６１の裏面６８には、図７及び図８に示すように、前記識別画像６９と共通の識別画像７０が彫刻される略矩形形状の第２透かし彫刻領域７２が設けられている。この第２透かし彫刻領域７２には、第１識別画像６９と共通の第２識別画像７０が、第１識別画像６９と層方向で相互に重なるように位置して、第２彫刻層６６側から彫刻されている。ここで、第１識別画像６９と第２識別画像７０とが共通とは、例えば識別画像６９が個人の上半身に係る肖像写真である場合において、その大きさ並びに縮尺率がほぼ同一であることを意味する。
【００４４】
なお、本発明でいう識別画像とは、個人を識別する機能を有する画像であって、例えば、個人の氏名、住所、年齢、性別、署名（図１０の符号「９５」参照）、或いは、印影、又は肖像写真のうち、一又は二以上の組み合わせを含む概念である。
【００４５】
支持体層６３としては、一般的に用いられる透明合成樹脂製シート（例えば、ポリプロピレン・ポリスチレン・ポリエチレンテレフタレート・塩化ビニル等）であって、ある程度透明性の得られるものであれば、その材質を問わずに使用することができる。支持体層６３の厚みは、一般的には、０．１〜０．３ｍｍ程度が好ましい。ただし、素材・用途・使われ方・汎用性等に応じて、適切な厚みが変動するので、これらを総合的に考慮して、適宜その厚みを設定すればよい。また、材質の軟硬に係る性質は、彫刻画像の保存性に大きく影響する。そのため、例えば、セキュリティシートに求められる屈曲性等を考慮して、適切なものを適宜選択すればよい。なお、セキュリティシートにおけるシート面上に、後述するように、インクジェット方式や昇華熱転写方式等による個人の上半身肖像写真に係る識別画像を印刷加工する場合には、硬質透明塩化ビニルシート等を好適に使用することができる。
【００４６】
第１、第２彫刻層６５、６６の各々は、例えば、樹脂（バインダー）と充填材（フィラー）とから成るシルクスクリーンインクを、白色インク（充填材は、主として酸化チタン等）やマットインク（充填材は、主として合成シリカ、炭酸カルシウム、硫酸バリウムやタルク・クレー等のカオリン類）の混合等により調整して生成し、こうして生成したシルクスクリーンインクを、支持体層６３上にシルクスクリーン印刷することで構成することができる。シルクスクリーンインクの性質は、同インクの供給者や品種により大きく異なるので、適切な透過濃度と光沢度を得るためには、その都度配合比率を検討する必要がある。なお、各彫刻層６５、６６のそれぞれの厚みは、３〜５０μｍで、特に証書類の場合は、５〜２０μｍが好ましい。各彫刻層６５、６６に用いられる樹脂（バインダー）の種類は、支持体層６３の使用樹脂に応じて変更することが好ましい。相互に異なる種類の樹脂間では、その接着性の良し悪しが異なるからである。例えば、支持体層６３がポリエステルフィルムである場合には、各彫刻層６５、６６に用いられる樹脂（バインダー）の種類は、ポリエステルやポリウレタンが適する。また、支持体層６３が硬質塩化ビニルの場合、各彫刻層６５、６６に用いられる樹脂（バインダー）の種類は、ポリウレタンや塩化ビニル、酢酸ビニル共重合体等が適する。各彫刻層６５、６６の硬度については、硬化剤の種類や添加量によって調整すればよい。
【００４７】
実施例に係るセキュリティシートにおける第１及び第２透かし彫刻領域７１、７２のそれぞれに、各識別画像６９、７０を透かし彫刻することを考慮した場合、下記の条件を満足することが好ましい。すなわち、支持体層６３の不透明度と、一対の各彫刻層６５、６６の不透明度との間で、少なくとも目視で認識し得る程度の差が存在し、かつ、支持体層６３の不透明度が、一対の各彫刻層６５、６６の不透明度よりも低く構成されたセキュリティシートにおいて、一対の各彫刻層６５、６６から支持体層６３に至るまで彫刻される（図８参照）、との諸条件を満足することが好ましい。こうした諸条件を満足すると、目視で認識し得る透かし彫り識別画像を得ることができるからである。なお、上記諸条件に加えて、支持体層６３の不透明度と、一対の各彫刻層６５、６６の不透明度との間の差が大きいほうが、明瞭な透かし彫り識別画像を得る観点で好ましい。ここで、透かし彫刻とは、上述したように、支持体層６３の不透明度が、一対の各彫刻層６５、６６の不透明度よりも低く構成されたセキュリティシートにおいて、一対の各彫刻層６５、６６から支持体層６３に至るまで彫刻することで、目視で認識し得る透かし彫り識別画像６９、７０を得ることをいう。これに対し、浮かし彫刻とは、支持体層６３における色彩の濃度と、各彫刻層６５、６６における色彩の濃度との間で、少なくとも目視で認識し得る程度の差が存在し、かつ、支持体層６３における色彩の濃度が、各彫刻層６５、６６における色彩の濃度よりも濃く構成されたセキュリティシートにおいて、各彫刻層６５、６６から支持体層６３に至るまで彫刻することで、目視で認識し得る浮かし彫り識別画像を得ることをいう。なお、透かし彫刻か、浮かし彫刻かは、セキュリティシート側の構成に依存するものであり、本発明実施例で開示した画像彫刻装置によれば、透かし彫刻、及び浮かし彫刻のいずれをも行うことが可能である。
【００４８】
ところで、一対の各彫刻層６５、６６が呈する色彩としては、白、黒、灰色等の無彩色はもとより、その他の有彩色を含んで、いかなる色彩をも採用することができる。ただし、前述した通り、一対の各彫刻層６５、６６が呈する不透明度は、支持体層６３の不透明度よりも高く構成されていることを要する。このように構成することで、明瞭な輪郭をもった透かし彫り識別画像６９、７０を得ることができるからである。なお、一対の各彫刻層６５、６６が呈する色彩は、両者共に共通でもよいし、各彫刻層６５、６６毎に相互に異なる色彩を採用してもよい。また、一対の各彫刻層６５、６６が呈する不透明度は、両者共に支持体層６３の不透明度よりも高く構成されていさえすれば、両者共に共通でもよいし、各彫刻層６５、６６毎に相互に異なる不透明度を採用してもよい。
【００４９】
（本発明実施例に係るセキュリティシートの作用効果）
本発明実施例に係るセキュリティシート（社員証）６１を製作するにあたり、まず、支持体層６３を、一対の各第１、第２彫刻層６５、６６の間に密着させて挟み込み、これらを積層して構成されたセキュリティシート６１であって、その表面６７に第１透かし彫刻領域７１を設ける一方、その裏面６８に第２透かし彫刻領域７２を設けて構成された原紙（社員証原紙）を用意する。そして、この原紙（社員証原紙）の表面６７における第１透かし彫刻領域７１に、前述した画像彫刻装置１を用いて、個人の上半身の肖像写真に係る第１識別画像６９を、第１彫刻層６５から支持体層６３に至るまで透かし彫刻する一方、同原紙の裏面６７の第２透かし彫刻領域７２に、前記と同様の画像彫刻装置１を用いて、第１識別画像６９と共通の第２識別画像７０を、層方向で相互に重なるように位置させ、第２彫刻層６６から支持体層６３に至るまで透かし彫刻する。なお、第１識別画像６９と共通の第２識別画像７０を、層方向で相互に重なるように位置させ、第２彫刻層６６から支持体層６３に至るまで透かし彫刻するにあたっては、第１透かし彫刻領域７１と、第２透かし彫刻領域７２とを、層方向で相互に重なるように位置決めすること、並びに、第１識別画像６９と共通の第２識別画像７０を、裏面６８側から彫刻する際に、左右が反転した画像となっていること、を考慮するものとする。
【００５０】
これにより、表裏の各面６７，６８から透かし彫刻された共通の識別画像６９，７０を、表裏の各面６７，６８から触覚及び視覚をもって確認することができるとともに、一方の面から識別画像を視たときに、同画像の輪郭が、他方の面における識別画像の輪郭と重なってみえることで立体感が醸成され、興趣あふれる見え方をもって、高精度の彫刻が施された識別画像を提示することが可能となる結果として、高い偽変造防止性が付与されたセキュリティシートを得ることができる。
【００５１】
また、各彫刻層６５、６６毎に相互に異なる色彩を採用した場合、具体的には、例えば、支持体層６３として透明のものを採用するとともに、第１彫刻層６５が呈する色彩として淡い桃色を採用する一方で、第２彫刻層６６が呈する色彩として乳白色を採用した場合には、表裏の各面から識別画像６９、７０をそれぞれ視認したときに、同各識別画像６９、７０が相互に異なる色彩態様で提示されるので、興趣あふれる見え方をもって、高精度の彫刻が施された識別画像を提示することができる。
【００５２】
しかも、例えば、支持体層６３として透明のものを採用するとともに、第１彫刻層６５が呈する色彩として、光の三原色のなかから赤色を採用する一方で、第２彫刻層６６が呈する色彩として、光の三原色のなかから緑色を採用した場合には、表裏の各面から識別画像６９、７０をそれぞれ透かして視たときに、加法混色の原理で黄色にみえる。また、第１彫刻層６５が呈する色彩として、光の三原色のなかから赤色を採用する一方で、第２彫刻層６６が呈する色彩として、光の三原色のなかから青色を採用した場合には、表裏の各面から識別画像６９、７０をそれぞれ透かして視たときに、加法混色の原理でマゼンタ色にみえる。さらに、第１彫刻層６５が呈する色彩として、光の三原色のなかから緑色を採用する一方で、第２彫刻層６６が呈する色彩として、光の三原色のなかから青色を採用した場合には、表裏の各面から識別画像６９、７０をそれぞれ透かして視たときに、加法混色の原理でシアン色にみえる。このように、加法混色の原理を用いて識別画像６９、７０に所要の色を付与することで、興趣あふれる見え方をもって、高精度の彫刻が施された識別画像を提示することができる。
【００５３】
［その他］
本発明は、上述した実施例に限られるものではなく、請求の範囲及び明細書全体から読み取れる発明の要旨、あるいは技術思想に反しない範囲で適宜変更可能であり、そのような変更を伴うセキュリティシートもまた、本発明における技術的範囲の射程に包含されるものである。
【００５４】
すなわち、本発明実施例に係るセキュリティシート６１として、社員証を例示して説明したが、本発明はこの例に限定されることなく、例えば、図９に示すように、本発明を卒業証書９１に適用するように構成してもよい。なお、図９に示す卒業証書９１は、前述した社員証６１の例と基本的な構成が共通するので、両者間で共通の部材には共通の符号を付して、その重複した説明を省略する。さらには、例えば、図１０に示すように、本発明をパスポート９３における個人認証ページ部分に適用するように構成してもよい。図１０に示すパスポート９３は、前述した社員証６１の例と基本的な構成が共通するので、両者間で共通の部材に共通の符号を付し、その重複した説明を省略する。このように構成すれば、社員証６１の例と同様に、表面の透かし彫刻に係る第１識別画像６９と、裏面の透かし彫刻に係る第２識別画像７０と、が相俟って、高い変偽造防止機能を発揮することが可能となる。
【００５５】
さらに、本発明を、例えば、クレジットカードに適用するように構成してもよい。この場合、同クレジットカードに個人認証に係る暗証番号等の識別情報を保持させるために、磁気テープ又はＩＣチップを組み込むように構成してもよい。
【００５６】
最後に、本発明実施例において、本発明実施例に係るセキュリティシート６１として、社員証を例示するとともに、同社員証６１における表裏の各面から、透かし彫刻に係る各識別画像６９、７０を設ける（図６乃至図８参照）例をあげて説明したが、図８に示す透かし彫刻に係る各識別画像６９、７０は、実際には、必ずしもその表面が平坦となる訳ではなく、各識別画像６９、７０を透かし彫刻するために別途用意される識別画像彫刻データに従って、彫刻に係る位置及び深さが制御された所要の彫刻処理がなされるものであることを付言しておく。
【図面の簡単な説明】
【００５７】
【図１】画像彫刻装置の外観を示す概略斜視図である。
【図２】画像彫刻装置における主要部を示す斜視図である。
【図３】図３（Ａ）は、往復運動機構に設けられている彫刻テーブルを拡大して示す説明図、図３（Ｂ）は、彫刻テーブルに載置固定される小冊子状の被彫刻媒体を示す説明図である。
【図４】被彫刻媒体として卒業証書や表彰状等のシート状媒体を採用したときの彫刻テーブルを拡大して示す説明図である。
【図５】被彫刻媒体として卒業証書や表彰状等のシート状媒体を採用したときの彫刻テーブルを拡大して示す説明図である。
【図６】本発明に係るセキュリティシートを、被彫刻媒体としての社員証に適用した例を示す、社員証に係る表面の外観図である。
【図７】図６に示す社員証に係る裏面の外観図である。
【図８】図６に示す社員証の要部Ａ−Ａ断面図である。
【図９】本発明に係るセキュリティシートを、被彫刻媒体としての卒業証書に適用した例を示す説明図である。
【図１０】本発明に係るセキュリティシートを、被彫刻媒体としてのパスポートにおける個人認証ページ部分に適用した例を示す説明図である。
【符号の説明】
【００５８】
１  画像彫刻装置
６１  社員証（セキュリティシート）
６３  支持体層
６５  第１彫刻層
６６  第２彫刻層
６７  表面
６８  裏面
６９  透かし彫刻に係る第１識別画像
７０  透かし彫刻に係る第２識別画像
７１  第１透かし彫刻領域
７２  第２透かし彫刻領域
９１  卒業証書（セキュリティシート）
９３  パスポート（セキュリティシート）
【図１】
2009137169.tif 000003
【図２】
2009137169.tif 000004
【図３】
2009137169.tif 000005
【図４】
2009137169.tif 000006
【図５】
2009137169.tif 000007
【図６】
2009137169.tif 000008
【図７】
2009137169.tif 000009
【図８】
2009137169.tif 000010
【図９】
2009137169.tif 000011
【図１０】
2009137169.tif 000012